(57)【要約】【課題】排液が泡として排液バッグの上部を伝って水封部に流入することを防止する排液バッグを提供する。【解決手段】排液を貯留するための排液槽１２と、排液槽１２の上部に形成され排液を流入させる流入口１４と、排液槽１２の上部に対して下部で連結された水封槽１６と、水封槽１６の上部に形成され負圧源に連通する吸引口１８とを含んで構成される排液バッグ１０において、排液槽１２の上部には水封槽１６に連通する連通孔３０が設けられ、連通孔３０の排液槽１２側の入口近傍には、排液槽１２の上部から下方に向かって延びて連通孔３０と排液槽１２との間を部分的に仕切る仕切り板２０を設ける。【選択図】図２
2008284138.tif 000002
【特許請求の範囲】
【請求項１】
排液を貯留するための排液槽と、
前記排液槽の上部に形成され排液を流入させる流入口と、
前記排液槽の上部に対して下部で連結された水封槽と、
前記水封槽の上部に形成され負圧源に連通する吸引口とを含んで構成される排液バッグにおいて、
前記排液槽の上部には前記水封槽に連通する連通孔が設けられ、
前記連通孔の前記排液槽側の入口近傍には、前記排液槽の上部から下方に向かって延びて前記連通孔と前記排液槽との間を部分的に仕切る仕切り部が設けられていることを特徴とする排液バッグ。
【請求項２】
前記仕切り部の少なくとも前記排液槽側は、消泡剤を含有する部分を備えることを特徴とする請求項１に記載の排液バッグ。
【請求項３】
前記仕切り部の少なくとも前記排液槽側には、消泡剤を含んだ多孔質材料が配置されていることを特徴とする請求項２に記載の排液バッグ。
【請求項４】
前記仕切り部は、多孔質材料に消泡剤を含ませて形成されていることを特徴とする請求項２に記載の排液バッグ。
【請求項５】
前記仕切り部の少なくとも前記排液槽側には、消泡剤が塗布されていることを特徴とする請求項１又は請求項２に記載の排液バッグ。
【発明の詳細な説明】
【技術分野】
【０００１】
本発明は、医療用の排液バッグに関し、特に低圧吸引排出装置に用いられる排液バッグに関する。
【背景技術】
【０００２】
従来、患者の体腔内において滲出し続ける血液等の体液を体腔内から除去する場合など、この体液を採集するために用いられる排液バッグが知られている。このような排液バッグには体液流入用の流入孔が設けられており、この孔は患者の体腔に挿入されたカテーテルに接続するようになっている。患者側で発生した体液はカテーテルを通って流入孔に入り排液バッグ内に導かれるようになっている。
【０００３】
また、この排液バッグには吸引用のガス出口孔が設けられており、この孔は外部の負圧源に連通するようになっている。排液バッグと体液通路内とを減圧することにより、体腔内の体液を吸引して、積極的に体液を排液バッグ内に溜めるようになっている。排液バッグには、患者側の方が吸引圧よりも強い陰圧になったときに、気体が患者体内に逆流するのを防ぐための水封部が設けられており、排液バッグのガス出口孔には、排液バッグ内の排液等が負圧源に入り込まないようにオーバーフロー防止弁が通常設けられる。
【０００４】
ここで、例えば特許文献１には、排液バッグ内面や排液の流通路を消泡剤で被覆して、排液とともに吸引した泡を化学作用で消滅させることにより、泡が水封部に入り込まないようにすることが提案されている。
【特許文献１】特開２００２−３６９８７９号公報
【発明の開示】
【発明が解決しようとする課題】
【０００５】
ところで、上記した従来の排液バッグにおいては、排液が排液バッグに直接流れ込むような構造となっているため、この排液に泡状の吸引物が混入されていて、術後排液等の吸引中に、この泡状の吸引物がバッグ内に吸引されると、排液槽の容量が一杯になる前に、この泡状の吸引物が排液槽に滴下せずに排液槽の上部を伝わって水封部に流れ込むことがあった。
【０００６】
そして、水封部に連行された泡が水封部の陰圧側の液槽に混入して液面が泡状となることによって水封部の見かけ上の液位が上昇し、吸引口に設けられたオーバーフロー防止弁がこの泡によって閉塞して吸引口からの吸引を停止させることがあった。その一方で、この泡が吸引口から負圧源の吸引器に流入すると汚染の原因となることもある。
【０００７】
さらに、上記の特許文献１記載の排液バッグでは、排液バッグ内面や排液の流通路を消泡剤で被覆する構成を採用しているが、被覆される表面積が限定されることから消泡剤が不足しがちになるとともに、消泡剤と泡が十分に接触せず、期待した消泡作用を発揮できないおそれがあった。
【０００８】
本発明は、上述した事情に鑑みてなされたものであり、排液が泡として排液バッグの上部を伝って水封部に流入することを防止する排液バッグを提供することを目的とするものである。
【課題を解決するための手段】
【０００９】
本発明に係る排液バッグでは、上記課題を解決するために以下の手段を採用した。
本発明は、排液を貯留するための排液槽と、前記排液槽の上部に形成され排液を流入させる流入口と、前記排液槽の上部に対して下部で連結された水封槽と、前記水封槽の上部に形成され負圧源に連通する吸引口とを含んで構成される排液バッグにおいて、前記排液槽の上部には前記水封槽に連通する連通孔が設けられ、前記連通孔の前記排液槽側の入口近傍には、前記排液槽の上部から下方に向かって延びて前記連通孔と前記排液槽との間を部分的に仕切る仕切り部が設けられていることを特徴とする。
【００１０】
本発明によれば、吸引された排液中の泡状物は、排液槽の上部を伝って略水平方向に移動するが、連通孔の排液槽側入口に設けられた仕切り部に接触する。そして、泡状物は、この仕切り部に遮られ、さらには仕切り部に接触することにより泡がはじけ、あるいは凝集して消泡され液化し、あるいは泡のまま重力により排液槽に滴下する。このように、泡は水封槽上流側の連通孔の排液槽側入口において消泡されて液化するので、排液バッグの上部を伝って水封槽に泡が入り込まない。
【００１１】
本発明に係る他の排液バッグは、上記において、前記仕切り部の少なくとも前記排液槽側は、消泡剤を含有する部分を備えることを特徴とする。
【００１２】
本発明によれば、吸引された排液中の泡状物は、排液槽の上部を伝って略水平方向に移動するが、連通孔の排液槽側入口に設けられた仕切り部に接触する。そして泡状物は、仕切り部の排液槽側に含有された消泡剤によって消泡される。このように、泡は水封槽上流側の連通孔の排液槽側入口において消泡されて液化するので、排液バッグの上部を伝って水封槽に泡が入り込まない。
【００１３】
本発明に係る他の排液バッグは、上記において、前記仕切り部の少なくとも前記排液槽側には、消泡剤を含んだ多孔質材料が配置されていることを特徴とする。
【００１４】
本発明によれば、吸引された排液中の泡状物は、排液槽の上部を伝って略水平方向に移動するが、仕切り部によって連通孔側への進行を遮られる。そして泡状物は、仕切り部の排液槽側に配置された多孔質材料の消泡剤に接触して消泡される。このように、泡は水封槽上流側の連通孔の排液槽側入口において消泡されて液化するので、排液バッグの上部を伝って水封槽に泡が入り込まない。
【００１５】
本発明に係る他の排液バッグは、上記において、前記仕切り部は、多孔質材料に消泡剤を含ませて形成されていることを特徴とする。
【００１６】
本発明によれば、吸引された排液中の泡状物は、排液槽の上部を伝って略水平方向に移動するが、仕切り部によって連通孔側への進行を遮られる。そして泡状物は、多孔質材料の消泡剤に接触することで消泡される。このように、泡は水封槽上流側の連通孔の排液槽側入口において消泡されて液化するので、排液バッグの上部を伝って水封槽に泡が入り込まない。
【００１７】
本発明に係る他の排液バッグは、上記において、前記仕切り部の少なくとも前記排液槽側には、消泡剤が塗布されていることを特徴とする。
【００１８】
本発明によれば、吸引された排液中の泡状物は、排液槽の上部を伝って略水平方向に移動するが、仕切り部によって連通孔側への進行を遮られる。そして泡状物は、仕切り部の排液槽側に塗布された消泡剤に接触して消泡される。このように、泡は水封槽上流側の連通孔の排液槽側入口において消泡されて液化するので、排液バッグの上部を伝って水封槽に泡が入り込まない。
【発明の効果】
【００１９】
本発明によれば、排液に含まれる泡状の吸引物は、排液バッグの上部を伝って水封槽に入り込む前に、排液槽上部に設けた仕切り部に遮られ、仕切り部の消泡剤によって消泡されて液状となる。このため、排液槽上部の流入口から排液バッグ内に吸引された泡が、排液バッグの上部を伝って水封槽に流入することを防止することができる。
【発明を実施するための最良の形態】
【００２０】
以下に図面を用いて、本発明に係る排液バッグの実施の形態につき詳細に説明する。
図１は、本実施形態に係る排液バッグ１０の一例を示す正面図であり、図２は、排液バッグ１０の縦断面図である。
【００２１】
排液バッグ１０は、患者の肺臓などの手術後、創部からの排液を吸引して貯留するために用いられる。この排液バッグ１０は、図１に示すように、患者の体腔内で発生した排液を貯留するための排液槽１２と、排液槽１２の上部に形成され、外部から排液を流入させる流入口１４と、排液槽１２の上部に対して下部で連結された水封槽１６と、水封槽１６の上部に形成され、外部の負圧源（不図示）に連通する吸引口１８とを含んで一体的に構成されている。
【００２２】
この排液バッグ１０は、図１に示すように、排液槽１２に溜まった排液の液位や、水封槽１６内の水封水の液位が外部から観測できるように透明な材質で形成されており、特に、負圧がかかっても変形して排液バッグ１０内の容積が変化しないように透明な硬質プラスチック製が用いられる。このようなプラスチックとして、例えば、ポリカーボネート、ポリスルホン、アクリル樹脂、ポリスチレン、スチレン・ブタジエン樹脂を用いることができる。また、排液バッグ１０の壁面には、各槽に溜まった液量を示すための目盛りが付されている。
【００２３】
この排液槽１２は、図２に示すように、流入口１４直下に設けられる第一排液槽２４と、第一排液槽２４の下端から上方向に延びた仕切り壁２６により区画されて第一排液槽２４に隣接して設けられる第二排液槽２８とから構成されている。
仕切り壁２６の上側は開口しており、第一排液槽２４と第二排液槽２８の上部は連通状態となっている。第二排液槽２８の上部の第一排液槽２４と隣接しない側には、横方向に向かって延びる連通孔３０が設けられる。
連通孔３０は、上下方向に延びた連結管３２の上端と連通している。連結管３２は、その下端で水封槽１６の下部に連結している。
【００２４】
そして、連通孔３０の第二排液槽２８側の入口から第二排液槽２８側に少しずれた位置には、第二排液槽２８の上部から下方に向かって延びる板状の仕切り板２０が設けられる。仕切り板２０は、連通孔３０と第二排液槽２８との間の連通が確保されるようにこれらを部分的に仕切る仕切り部として設けられ、仕切り板２０の第二排液槽２８側の表面２１には消泡剤が塗布されている。
【００２５】
上記構成の動作を説明する。
排液に伴って吸引された泡状物は、流入口１４から入り込んだあと、第一排液槽２４と第二排液槽２８の上部２３を伝って連通孔３０の入口に向かって略水平方向に移動する。
泡状物は、第二排液槽２８の上部から下方に向かって延びて配置された仕切り板２０に導かれて、仕切り板２０の第二排液槽２８側の面２１を上から下に伝うので、連通孔３０側への進行を遮られる。
排液の泡状物は、仕切り板２０の第二排液槽２８側の面２１を伝う際にここに塗布された消泡剤に接触することで、消泡剤の化学的作用によって消泡される。また、この液は、仕切り板２０を滴り落ちて第二排水槽２８内に滴下する。
【００２６】
このように、流入口１４から入り込んで第二排液槽２８の上部２３を伝って移動する泡状物は、水封槽１６上流側に設けられた連通孔３０の第二排液槽２８側の入口付近の仕切り板２０の第二排液槽側の面２１において消泡して液化する。このため、排液バッグ１０の上部２３を伝って水封槽１６には泡が入り込まない。このようにすることで、泡が水封槽１６に侵入することを防ぐことができる。
【００２７】
上記の実施形態において、仕切り板２０としては、消泡剤を塗布した板状のものを使用する代わりに、消泡剤を含有させたスポンジ材、不織布、紙、ろ過膜のようなフィルター、焼結体などの多孔質材料を仕切り板２０の第二排液槽２８側の表面２１に取り付けたものを用いてもよい。
また、仕切り板２０そのものを、消泡剤を含有させたスポンジ材等の上記多孔質材料で構成するようにして用いてもよく、さらに、比表面積の大きなハニカム構造体、多束管体に消泡剤を含浸させたもので構成するようにして用いてもよく、いずれにしても本発明と同様の効果を奏することができる。
【００２８】
本発明で用いる消泡剤としては、排液の発泡を防止するために医療用機器表面等への被覆に通常用いられる消泡剤を用いることができ、特に限定されるものではないが、例えばシリコーン系の消泡剤を用いるようにしてもよい。
【００２９】
以上のように、本発明に係る排液バッグ１０は、排液に含まれる泡状の吸引物は、第二排液槽２８の上部２３を伝って移動しても、水封槽１６に入り込む前に、連通孔３０の入口近傍に設けた仕切り部としての仕切り板２０に接触して、仕切り板２０に仕込まれた消泡剤により消泡され、第二排液槽２８内に滴下する。
このため、排液槽の容量が一杯になる前に、泡状の吸引物が第二排液槽２８に滴下せずに第二排液槽２８の上部２３を伝わって連通孔３０に入り込まず、水封槽１６に泡状物が流れ込むことがない。
【００３０】
このように、本発明に係る排液バッグ１０は、水封槽に泡が連行されないので、吸引口に設けられたオーバーフロー防止弁が誤作動することがなく、泡が負圧源の吸引器に流入することでこれを汚染させることがない。
【００３１】
なお、上述した実施の形態において示した各構成部材の諸形状や組み合わせあるいは動作手順等は一例であって、本発明の主旨から逸脱しない範囲において設計要求等に基づき種々変更可能である。
【図面の簡単な説明】
【００３２】
【図１】本実施形態に係る排液バッグ１０の一例を示す正面図である。
【図２】排液バッグ１０の縦断面図である。
【符号の説明】
【００３３】
１０…排液バッグ
１２…排液槽
１４…流入口
１６…水封槽
１８…吸引口
２０…仕切り板（仕切り部）
３０…連通孔
【図１】
2008284138.tif 000003
【図２】
2008284138.tif 000004